(57)【要約】【課題】緊急事態が発生したとき、より正確、確実に緊急事態を緊急通報先に通報できる緊急通報装置を提供する。【解決手段】携帯電話機２を接続するためのインターフェース部３を設け、このインターフェース部３に携帯電話機２を接続した状態で、緊急事態検出部２７が緊急事態を検出すると、携帯電話機２を通して自動的に緊急通報先に緊急事態を緊急通報できる。ハンズフリー用の通話回路部２１を使用していた場合は、使用してない側の無線通信部２２、携帯電話機２のいずれかで緊急通報する。【選択図】　図１
2004072412.tif 000002
【特許請求の範囲】
【請求項１】
緊急事態を検出する緊急事態検出手段と、前記緊急事態の通報先を記憶する通報先記憶手段と、前記緊急事態検出手段が前記緊急事態を検出したとき、前記通報先記憶手段に記憶された前記通報先に前記緊急事態を通報する緊急通報手段と、携帯通信機が接続されるインターフェース部と、前記インターフェース部に前記携帯通信機が接続された状態で前記緊急事態検出手段が前記緊急事態を検出したとき、前記携帯通信機を通して前記通報先記憶手段に記憶された前記通報先に前記緊急事態を通報する手段とを備えた緊急通報装置。
【請求項２】
緊急事態を検出する緊急事態検出手段と、前記緊急事態の通報先を記憶する通報先記憶手段と、前記緊急事態検出手段が前記緊急事態を検出したとき、前記通報先記憶手段に記憶された前記通報先に前記緊急事態を通報する緊急通報手段と、携帯通信機が接続されるインターフェース部と、前記インターフェース部に前記携帯通信機が接続された状態で前記緊急事態検出手段が前記緊急事態を検出したとき、前記携帯通信機および前記緊急通報手段の両方を通して前記通報先記憶手段に記憶された前記通報先に前記緊急事態を通報する手段とを備えた緊急通報装置。
【請求項３】
前記緊急通報手段および前記携帯通信機がそれぞれ正常に緊急通報を行うかどうかを検出する正常通信検出手段と、前記正常通信検出手段によって一方が正常でないと検出されたとき、前記緊急事態の通報を、他方を通して行うように切替え制御する切替え制御手段とを備えたことを特徴とする請求項１又は２記載の緊急通報装置。
【請求項４】
前記緊急事態を前記携帯通信機および前記緊急通報手段の両方を通して前記通報先に通報する場合において、前記携帯通信機および前記緊急通報手段の予め定められた一方でデータの送信を行い、他方で音声通話を可能とするように制御する通信制御手段を備えたことを特徴とする請求項２記載の緊急通報装置。
【請求項５】
前記通報が正常に行われるかどうかを検出する正常通信検出手段と、前記正常通信検出手段によって、前記携帯通信機、前記緊急通報手段のいずれか一方が正常でないと検出されたとき、他方で前記データの送信及び前記音声通話を共に可能にする手段とを備えたことを特徴とする請求項４記載の緊急通報装置。
【請求項６】
ハンズフリー用の通話回路部と、前記ハンズフリー用の通話回路部を前記緊急通報手段用、前記携帯通信機用のそれぞれのハンズフリー用通話回路として機能するように切替え制御するハンズフリー用通話回路部切替え制御手段とを備えたことを特徴とする請求項１乃至請求項５のいずれかに記載の緊急通報装置。
【請求項７】
前記ハンズフリー用の通話回路部を用いてハンズフリー通話している状態で、前記緊急事態検出手段が前記緊急事態を検出したとき、前記ハンズフリー通話をしていない側の前記携帯通信機又は前記緊急通報手段を通して前記緊急事態を前記通報先に通報するように制御する通信制御手段を備えた請求項６記載の緊急通報装置。
【請求項８】
前記緊急通報に必要な情報をデータとして記憶しておく情報記憶手段を備え、前記緊急事態検出手段が前記緊急事態を検出したとき、前記情報記憶手段に記憶されたデータを読み出し、前記通報先に送信するように構成した請求項１乃至請求項７のいずれかに記載の緊急通報装置。
【請求項９】
現在位置を測位する現在位置測位手段と、前記現在位置測位手段によって測位された現在位置情報を前記緊急通報に必要な情報として前記情報記憶手段に予め定めたタイミングで逐次更新記憶する位置情報更新手段とを備えた請求項８記載の緊急通報装置。
【請求項１０】
前記インターフェース部に前記携帯通信機が接続されたとき、前記携帯通信機から前記携帯通信機の呼出番号を取得する呼出番号取得手段と、前記呼出番号取得手段によって取得した前記呼出番号を前記緊急通報に必要な情報として前記情報記憶手段に記憶する呼出番号記憶手段とを備えた請求項８記載の緊急通報装置。
【請求項１１】
前記インターフェース部に前記携帯通信機が接続されている場合、その接続されているという情報を前記緊急通報に必要な情報として前記情報記憶手段に記憶する接続情報記憶手段を備えた請求項８乃至請求項９のいずれかに記載の緊急通報装置。
【請求項１２】
前記インターフェース部に前記携帯通信機が接続された状態で、前記情報記憶手段に記憶された前記情報および前記通報先記憶手段に記憶された前記通報先の呼出番号をそれぞれ前記インターフェース部を介して前記携帯通信機に転送し、前記携帯通信機に記憶させる呼出番号転送手段を備えた請求項８記載の緊急通報装置。
【発明の詳細な説明】
【０００１】
【発明の属する技術分野】
本発明は、事故、火災、盗難など、緊急事態が発生したとき、その緊急事態を素早く的確に緊急通報先に通報する緊急通報装置に関する。
【０００２】
【従来の技術】
一般に、事故、火災、盗難などの緊急事態が発生した場合、その緊急事態を自動的に予め定めた緊急通報先に通報する緊急通報装置は公知である。この種の緊急通報装置において、車両に搭載する緊急通報装置では、緊急事態が発生したとき、その緊急事態を自動的に緊急通報先に通報するだけではなく、車両に現在位置を測位する測位装置を取り付け、その測位装置で測位した現在位置をも同時に自動的に緊急通報先に通報するものが知られている。
【０００３】
【発明が解決しようとする課題】
しかしながら、この種のものは、いずれも、緊急事態を通報するために用意された緊急通報手段が緊急通報装置１つに対し１つしか存在せず、１つの緊急通報手段が何らかの原因で使用できなくなったとき、緊急通報を全く行うことができなくなるという問題があった。そして、車両に搭載する緊急通報装置では、緊急通報装置自体が車両に固定的に搭載されているため、車両の外に脱出すると、緊急通報装置を用いて緊急通報先と通話するのが非常に困難になるという問題があった。
【０００４】
本発明は、以上のような従来の問題点に鑑みてなされたものであり、緊急事態が発生したとき、緊急通報手段以外でも、携帯電話機等の携帯通信機を用いて正確に緊急通報先に緊急通報できる、優れた緊急通報装置を提供することを目的とするものである。
【０００５】
【課題を解決するための手段】
本発明の緊急通報装置は、緊急事態を検出する緊急事態検出手段と、緊急事態の通報先を記憶する通報先記憶手段と、緊急事態検出手段が緊急事態を検出したとき、通報先記憶手段に記憶された通報先に緊急事態を通報する緊急通報手段と、携帯通信機が接続されるインターフェース部と、インターフェース部に携帯通信機が接続された状態で緊急事態検出手段が緊急事態を検出したとき、携帯通信機を通して通報先記憶手段に記憶された通報先に緊急事態を通報する手段とを備えた構成とした。
【０００６】
この構成により、緊急通報装置に設けられた緊急通報手段以外に、インターフェース部に接続された携帯電話機等の携帯通信機を用いても、緊急通報手段と同様、緊急事態の発生を正確に緊急通報先に通報することができる。
【０００７】
また、本発明の緊急通報装置は、緊急事態を検出する緊急事態検出手段と、緊急事態の通報先を記憶する通報先記憶手段と、緊急事態検出手段が緊急事態を検出したとき、通報先記憶手段に記憶された通報先に緊急事態を通報する緊急通報手段と、携帯通信機が接続されるインターフェース部と、インターフェース部に携帯通信機が接続された状態で緊急事態検出手段が緊急事態を検出したとき、携帯通信機および緊急通報手段の両方を通して通報先記憶手段に記憶された通報先に緊急事態を通報する手段とを備えた構成とした。
【０００８】
この構成により、緊急事態が発生したとき、自動的に携帯通信機および緊急通報手段の両方を通して緊急通報を行うことになり、いずれを用いても緊急通報先と緊急通報を行うことができる。
【０００９】
また、本発明の緊急通報装置は、緊急通報手段および携帯通信機がそれぞれ正常に緊急通報を行うかどうかを検出する正常通信検出手段と、正常通信検出手段によって一方が正常でないと検出されたとき、緊急事態の通報を、他方を通して行うように切替え制御する切替え制御手段とを備えた構成とした。
【００１０】
この構成により、緊急通報手段、携帯通信機のいずれか一方が正常に緊急通報を行わない、あるいは、行えないといった場合でも、他方が正常に緊急通報可能であれば、その緊急通報可能な他方を用いて自動的に緊急通報を行うことができる。
【００１１】
また、本発明の緊急通報装置は、緊急事態を携帯通信機および緊急通報手段の両方を通して通報先に通報する場合において、携帯通信機および緊急通報手段の予め定められた一方でデータの送信を行い、他方で音声通話を可能とするように制御する通信制御手段を備えた構成とした。
【００１２】
この構成により、例えば、緊急事態が発生したことのメッセージ、緊急事態が発生した現在位置の位置情報、その他の情報は一方で伝達し、他方では、直ちに音声通話可能にすることができ、より早く緊急通報先とマンツーマンの対話ができるという作用を有する。
【００１３】
また、本発明の緊急通報装置は、通報が正常に行われるかどうかを検出する正常通信検出手段と、正常通信検出手段によって、携帯通信機、緊急通報手段のいずれか一方が正常でないと検出されたとき、他方でデータの送信及び音声通話を共に可能にする手段とを備えた構成とした。
【００１４】
この構成により、一方が正常に緊急通報できない状況であれば、他方がデータ送信、音声通話共に可能になるため、他方でデータ送信、音声通話共に行えばよく、いずれにしても緊急通報を確実に行うことができる。
【００１５】
また、本発明の緊急通報装置は、ハンズフリー用の通話回路部と、ハンズフリー用の通話回路部を緊急通報手段用、携帯通信機用のそれぞれのハンズフリー用通話回路として機能するように切替え制御するハンズフリー用通話回路部切替え制御手段とを備えた構成とした。
【００１６】
この構成により、緊急通報手段及び携帯通信機のいずれを通して緊急通報した場合でも、それらの緊急通報時にハンズフリー用通話回路を通して緊急通報先とハンズフリー通話することができ、緊急通報先との通話を容易にする。
【００１７】
また、本発明の緊急通報装置は、ハンズフリー用の通話回路部を用いてハンズフリー通話している状態で、緊急事態検出手段が緊急事態を検出したとき、ハンズフリー通話をしていない側の携帯通信機又は緊急通報手段を通して緊急事態を緊急通報先に通報するように制御する通信制御手段を備えた構成とした。
【００１８】
この構成により、ハンズフリー用の通話回路を用いて緊急通報手段、若しくは、携帯通信機のいずれか一方でハンズフリー通話している状態で緊急事態が発生し、緊急事態検出手段が緊急事態を検出しても、ハンズフリー通話はそのまま継続して行うことができ、緊急通報は他方をとおして正確に実施されるという作用を有する。
【００１９】
また、本発明の緊急通報装置は、緊急通報に必要な情報をデータとして記憶しておく情報記憶手段を備え、緊急事態検出手段が緊急事態を検出したとき、情報記憶手段に記憶されたデータを読み出し、通報先に送信する構成とした。
【００２０】
この構成により、情報記憶手段に、予め、必要な情報を記憶しておくことにより、これらの情報を緊急通報時に自動的に通報先に送信することになり、緊急時にうまく言えない情報等、事前に記憶しておけば、非常に便利であるという利点を有する。
【００２１】
また、本発明の緊急通報装置は、現在位置を測位する現在位置測位手段と、現在位置測位手段によって測位された現在位置情報を緊急通報に必要な情報として情報記憶手段に予め定めたタイミングで逐次更新記憶する位置情報更新手段とを備えた構成とした。
【００２２】
この構成により、緊急通報時に緊急事態発生時の現在位置が正確に緊急通報先に通報されることになり、緊急通報先でより適切な対応が可能になる。
【００２３】
また、本発明の緊急通報装置は、インターフェース部に携帯通信機が接続されたとき、携帯通信機から携帯通信機の呼出番号を取得する呼出番号取得手段と、呼出番号取得手段によって取得した呼出番号を緊急通報に必要な情報として情報記憶手段に記憶する呼出番号記憶手段とを備えた構成とした。
【００２４】
この構成により、緊急通報時に携帯通信機の呼出番号が緊急通報先に通報されることになり、緊急通報先より携帯通信機に対して容易に呼出を掛けることができるようになる。
【００２５】
また、本発明の緊急通報装置は、インターフェース部に携帯通信機が接続されている場合、その接続されているという情報を緊急通報に必要な情報として情報記憶手段に記憶する接続情報記憶手段を備えた構成とした。
【００２６】
この構成により、緊急通報時に携帯通信機が接続されているかどうかの情報が通報先に通報されることになり、したがって、通報先では、携帯通信機が接続されていない場合、緊急通報装置より離れた位置（例えば、車両の場合、車両の外）に居るということが概ね分かり、緊急通報装置に発信するより携帯通信機に発信した方が早く連絡が取れるということが分かることになる。
【００２７】
また、本発明の緊急通報装置は、インターフェース部に携帯通信機が接続された状態で、情報記憶手段に記憶された情報および通報先記憶手段に記憶された通報先の呼出番号をそれぞれインターフェース部を介して携帯通信機に転送し、携帯通信機に記憶させる呼出番号転送手段を備えた構成とした。
【００２８】
この構成により、携帯通信機がインターフェース部に一旦接続されると、この状態で情報記憶部に記憶された情報および通報先記憶手段に記憶された緊急通報先の呼出番号がそれぞれ携帯通信機に転送され記憶されるため、携帯通信機をインターフェースより離脱させた後でも、この携帯通信機に記憶された情報および緊急通報先の呼出番号を用いて単独に容易に緊急通報することができる。
【００２９】
【発明の実施の形態】
以下、本発明の一実施の形態における緊急通報装置について、図面を用いて詳細の説明する。
【００３０】
図１は、本発明の一実施の形態における緊急通報装置の概略ブロック図、図２〜図６は、それぞれ同じ緊急通報装置の動作を説明するフロー図である。
【００３１】
本発明の一実施の形態における緊急通報装置は、車両に搭載され、車両の現在位置を測位し、測位した現在位置を地図情報と共に表示部に表示し、目的地をキー入力部より入力すると、目的地までの経路を検索し、その経路を表示部に表示する、いわゆる、ナビゲーションとしての機能を有している。
【００３２】
すなわち、本発明の一実施の形態における緊急通報装置１は、図１に示すように、ＧＰＳ衛星（図示せず）からの信号を受信するＧＰＳ受信機１１と、車両の走行速度を検出する速度センサ１２と、車両の方位を検出する地磁気方位センサなどの方位センサ１３とをそれぞれ有し、これらのＧＰＳ受信機１１、速度センサ１２、方位センサ１３の出力を入力とする現在位置測位部１４で車両の現在位置を測位するように構成している。
【００３３】
そして、記憶部１５には、地図情報が記憶されており、キー入力部１６を用いて電源をオンすると、現在位置測位部１４で測位された現在位置が記憶部１５に記憶された地図情報と共に表示部１７に表示され、更に、キー入力部１６を用いて目的地を入力し、予め定めた経路検索操作を行うと、制御部１８が記憶部１５に記憶された地図情報を基に現在位置から目的地までの最適経路を検索し、その検索された最適経路を表示部１７に表示するように構成されている。
【００３４】
そして、更に、本実施の形態では、マイク１９、スピーカ２０に接続されたハンズフリー用の通話回路部２１を有し、この通話回路部２１と無線通信部２２とを用いて任意の通信相手と通話可能なように構成されている。
【００３５】
すなわち、本実施の形態では、キー入力部１６によって任意の通信相手の呼出番号である電話番号を入力し、あるいは、事前に任意の通信相手の電話番号を記憶した記憶部１５からその任意の通信相手の電話番号を呼び出して発信操作することにより、無線通信部２２を通して任意の通信相手に電話をかけることができ、通信相手が応答すれば、ハンズフリー用の通話回路部２１、通信回路部２２を介して任意の通信相手とハンズフリー通話可能なように構成されている。
【００３６】
また、本実施の形態では、衝突センサ２３、横転センサ２４、盗難センサ２５などの緊急事態を検出する各センサと、急病、その他の緊急時に操作する緊急釦２６と、これらの各センサ、緊急釦２６の出力に基づいて緊急事態を検出する緊急事態検出部２７とを有し、緊急事態検出部２７が緊急事態を検出したとき、記憶部１５に記憶された緊急通報先に記憶部１５に記憶された緊急通報に必要な各種情報を自動的に送信するように構成されている。
【００３７】
すなわち、本実施の形態では、記憶部１５に、地図情報のみならず、緊急通報先の電話番号、本装置の電話番号、緊急事態の発生を知らせるメッセージ、更には、現在位置測位部１４によって測位された現在位置の位置情報、インターフェース部３に接続された携帯電話機２の電話番号、インターフェース部３に携帯電話機２が接続されているかどうかの情報、これまでの緊急通報履歴などがそれぞれ緊急通報に必要な情報として任意に書換え可能に記憶されており、緊急事態検出部２７が緊急事態を検出したとき、記憶部１５に記憶されたこれらの情報がそれぞれ緊急通報先に自動的にデータ送信されるように構成されている。
【００３８】
次に、本実施の形態について、その動作を詳細に説明する。
【００３９】
本実施の形態では、先に説明したように、携帯電話機２を接続する入出力用のインターフェース部３を有し、このインターフェース部３に携帯電話機２を接続すると、先ず、次のような動作を行う。
【００４０】
インターフェース部３に携帯電話機２が接続されると、図２に示すように、制御部１８がそれを検知し（ステップ２０１）、インターフェース部３を介して携帯電話機２に割り込みを掛け、携帯電話機２の電話番号を携帯電話機の記憶部より読み出し記憶部１５に記憶する（ステップ２０２）。
【００４１】
そして、記憶部１５に記憶された緊急通報先の電話番号、緊急通報装置１の電話番号をそれぞれ記憶部１５より読み出し、携帯電話機２に転送し、携帯電話機２の記憶部に記憶させる（ステップ２０３）。そして、更に、現在位置測位部１４で測位された現在位置の位置情報や、記憶部１５に記憶された緊急通報に必要な情報がそれぞれ記憶部１５より読み出され、携帯電話機２に転送され、携帯電話機２の記憶部に記憶される（ステップ２０４）。
【００４２】
すなわち、インターフェース部３に携帯電話機２が接続されると、携帯電話機２と緊急通報装置１との間で緊急通報に必要な情報や電話番号の交換が行われ、それぞれ単独で緊急通報に必要な情報を共有するようになる。
【００４３】
したがって、本実施の形態によれば、インターフェース部３に、一旦、携帯電話機２を接続すれば、その後、携帯電話機２をインターフェース部３より離脱させても、その携帯電話機２に、緊急通報先の電話番号や現在位置測位部１４で測位された現在位置の位置情報などがそのまま記憶されているため、これらを用いて、その携帯電話機２で緊急通報先に電話をかけ緊急通報に必要な情報を読み出して送信し、容易に正確に緊急通報することができる。
【００４４】
次に、緊急事態検出部２７が緊急事態を検出した場合の動作について説明する。
【００４５】
緊急事態検出部２７は、車両が衝突したり、転倒したりして衝突センサ２３や横転センサ２４よりそれぞれ所定の信号が出力されたり、盗難センサ２５によって車両の盗難が検知されたり、急病人、その他の緊急事態が発生して緊急釦２６が操作されたりしたときに、それぞれ緊急事態が発生したことを検知する。
【００４６】
緊急事態検出部２７が緊急事態を検出すると、緊急通報装置１が緊急通報モードになり、図３に示すように、先ず、インターフェース部３に携帯電話機２が接続されているかどうかを認識する（ステップ３０１）。
【００４７】
携帯電話機２が接続されていない場合には、緊急通報装置１で無線通信部２２を用いて記憶部１５に記憶された緊急通報先に緊急通報を行うことになる（ステップ３０２）。すなわち、この場合には、制御部１８が緊急事態検出部２７からの出力を受けて記憶部１５に記憶された緊急通報先の電話番号を読み出し、その電話番号を基にして無線通信部２２を介して緊急通報先に自動的に発信動作を実施する。
【００４８】
そして、緊急通報先が応答すれば、記憶部１５に記憶された緊急通報に必要な情報、すなわち、緊急通報装置１の電話番号、緊急事態を知らせるメッセージ（たとえば、「衝突事故発生」「横転事故発生」などのメッセージ）、現在位置測位部１４によって測位され予め定めたタイミングで更新記憶されている現在位置に位置情報、先にインターフェース部３に携帯電話機２が接続されていた場合、その携帯電話機２の電話番号、現在インターフェース部３に携帯電話機２が接続されているかどうかの情報、緊急通報履歴などの情報をそれぞれ読み出し、これらを、無線通信部２２を介して緊急通報先に送信する。
【００４９】
なお、この状態では、ハンズフリー用の通話回路部２１が制御部１８の働きによって無線通信部２２側に接続される。したがって、無線通信部２１を介して記憶部１５に記憶された緊急通報に必要な情報が緊急通報先に送信された後は、無線通信部２２を介して、ハンズフリー用の通話回路部２１を用いて緊急通報先と任意に音声通話可能となる（ステップ３０３）。
【００５０】
そして、音声通話を終了するなどして緊急通報の終了操作を行えば、緊急通報先との回線が開放され、緊急通報が終了する（ステップ３１２）。
【００５１】
インターフェース部３に携帯電話機２が接続されている場合には、先ず、ハンズフリー用の通話回路部２１が無線通信部２２、携帯電話機２のいずれかで使用されていないかどうかが判断される（ステップ３０４、３０５）。
【００５２】
ハンズフリー用の通話回路部２１が無線通信部２２で使用され任意の通信相手と通話中である場合（ステップ３０４のＹ）には、無線通信部２２を使用せずに、携帯電話機２を介して緊急通報を行う（ステップ３０６）。
【００５３】
すなわち、この場合には、記憶部１５に記憶された緊急通報先の電話番号（若しくは、携帯電話機２に記憶された緊急通報先の電話番号でも良い）を読み出し、その電話番号を基に携帯電話機２で自動的に緊急通報先に発信動作を行う。
【００５４】
そして、緊急通報先が応答すれば、記憶部１５に記憶された緊急通報に必要な情報を記憶部１５より読み出し（若しくは、携帯電話機２に記憶された緊急通報に必要な情報を携帯電話機２より読み出してもよい）、それらの情報を、携帯電話機２を介して緊急通報先に送信する（ステップ３０７）。
【００５５】
緊急通報先に緊急通報に必要な情報が送信された後は、そのまま引続いて携帯電話機２で緊急通報先と任意に音声通話可能となる。そして、音声通話を終了するなどして緊急通報の終了操作を行えば、緊急通報先との回線が開放され、緊急通報が終了する（ステップ３１２）。
【００５６】
なお、ハンズフリー用の通話回路部２１は、無線通信部２２での使用が終了すれば、自動的に携帯電話機２での使用が可能になるように構成されている。
【００５７】
ハンズフリー用の通話回路部２１が携帯電話機２で使用され、携帯電話機２を通して任意の通信相手と通話中である場合（ステップ３０５のＹ）には、携帯電話機２を使用せずに、無線通信部２２を介して緊急通報を行う（ステップ３０８）。すなわち、この場合には、記憶部１５に記憶された緊急通報先の電話番号を読み出し、その電話番号を基に無線通信部２２で自動的に緊急通報先に発信動作を行う。
【００５８】
緊急通報先が応答すれば、記憶部１５に記憶された緊急通報に必要な情報を記憶部１５より読み出し、それらの情報を、無線通信部２２を介して緊急通報先に送信する（ステップ３０９）。そして、音声通話を終了するなどして緊急通報の終了操作を行えば、緊急通報先との回線が開放され、緊急通報が終了する（ステップ３１２）。
【００５９】
なお、この場合は、ハンズフリー用の通話回路部２１が自動的に緊急通報装置１側の無線通信部２２で使用可能なように切替えられるように構成されており、緊急通報先に緊急通報に必要な情報が送信された後、自動的にハンズフリー用の通話回路部２１を無線通信部２２で使用することができる。
【００６０】
ハンズフリー用の通話回路部２１が無線通信部２２、携帯電話機２のいずれでも使用されていない場合（ステップ３０４、３０５において共にＮの場合）には、緊急通報装置１、携帯電話機２の両方で緊急通報が実施される（ステップ３１０）。すなわち、この場合には、記憶部１５に記憶された緊急通報先の電話番号を読み出し、その電話番号を基に無線通信部２２、携帯電話機２の両方でそれぞれ自動的に緊急通報先に発信動作を行う。
【００６１】
そして、緊急通報先が応答すれば、記憶部１５に記憶された緊急通報に必要な情報を記憶部１５より読み出し、それらの情報を、予め定めた無線通信部２２、携帯電話機２のいずれか一方を介して緊急通報先に送信し、他方でハンズフリー用の通話回路部２１を用いて緊急通報先と任意に通話可能な状態にする（ステップ３１１）。
【００６２】
したがって、この場合には、緊急通報先に緊急通報に必要な情報を全て送信し終わる前から、緊急通報先との音声通話を開始することができ、より早く緊急通報先により正確な情報を知らせることができる。そして、この場合も、音声通話を終了するなどして緊急通報の終了操作を行えば、緊急通報先との回線が開放され、緊急通報が終了する（ステップ３１２）。
【００６３】
なお、ここで、本実施の形態では、無線通信部２２、携帯電話機２のいずれか一方で情報（データ）の送信を行い、他方で音声通話を可能なようにしているが、両方共に、情報（データ）の送信および音声通話を可能なようにすることも可能である。
【００６４】
また、ハンズフリー用の通話回路部２１が無線通信部２２、携帯電話機２のいずれでも使用されていない場合には、予め定めた無線通信部２２、携帯電話機２のいずれか一方で緊急通報を行うようにすることも可能である。
【００６５】
このように、本実施の形態によれば、インターフェース部３に携帯電話機２が接続されている場合、先ず、ハンズフリー用の通話回路部２１が使用されていないかどうかが判断され、使用されていた場合には、使用されていない側の携帯電話機２または無線通信部２２のいずれか一方で緊急通報が実施され、使用されていない場合には、携帯電話機２及び無線通信部２２の両方、または、予め定めた一方で緊急通報が実施されることになり、いずれの場合も、適切に緊急通報されることになる。
【００６６】
ところで、本実施の形態によれば、更に、図４に示す通り、予め定めた緊急通報装置１、携帯電話機２のいずれか一方が何らかの原因で正常に自動発信しなかった場合、それぞれ他方の携帯電話機２、または、緊急通報装置１で再度自動発信するように構成している。
【００６７】
すなわち、インターフェース部３に携帯電話機２が接続された状態で、携帯電話機２を用いて緊急通報のための発信動作を行う場合（ステップ４０１）には、その時点で、携帯電話機２で緊急通報が正常に行えるかどうかが判断される（ステップ４０２）。具体的には、携帯電話機２が通信可能な圏内にいるかどうかが判断され、圏外にいれば緊急通報が正常に行えないと判断される。
【００６８】
また、発信したが応答がなければ緊急通報が正常に行えないと判断される。更に、制御部１８に無線通信部２２や携帯電話機２の自己診断機能を備えている場合には、この自己診断機能の診断結果にしたがって携帯電話機２が正常に緊急通報可能かどうかが判断される。緊急通報が正常に行えると判断されると、携帯電話機２を通して緊急通報のための自動発信が実施され、自動発信が正常に行われ、緊急通報先が応答すれば、緊急通報が正常に行えると判断され（ステップ４０２のＹ）、携帯電話機２を通して緊急通報先に緊急通報に必要な情報が送信され、音声通話可能な状態になる（ステップ４０３）。
【００６９】
そして、音声通話を終了するなどして緊急通報の終了操作を行えば、緊急通報先との回線が開放され、緊急通報が終了する（ステップ４０４）。
【００７０】
緊急通報が正常に行えないと判断された場合（ステップ４０２のＮ）には、ハンズフリー用の通話回路部２２が無線通信部２２で使用されていると否とに関わらず、無線通信部２２で緊急通報のための自動発信が実施される（ステップ４０５）。そして、この場合も、自動発信に先立って、緊急通報装置１で緊急通報が正常に行えるかどうかが先と同様に判断される（ステップ４０６）。
【００７１】
緊急通報が正常に行えると判断されると（ステップ４０６のＹ）、無線通信部２２を通して緊急通報先に緊急通報に必要な情報が送信され、ハンズフリー用の通話回路部２１を用いて音声通話可能な状態になる（ステップ４０７）。そして、音声通話を終了するなどして緊急通報の終了操作を行えば、緊急通報先との回線が開放され、緊急通報が終了する（ステップ４０４）。
【００７２】
また、インターフェース部３に携帯電話機２が接続された状態で、無線通信部２２を用いて緊急通報のための発信動作を行う場合（ステップ５０１）には、その時点で、無線通信部２２で緊急通報が正常に行えるかどうかが先と同様に判断される（ステップ５０２）。緊急通報が正常に行えると判断されると（ステップ５０２のＹ）、無線通信部２２を通して緊急通報先に緊急通報に必要な情報が送信され、ハンズフリー用の通話回路部２１を用いて音声通話可能な状態になる（ステップ５０３）。
【００７３】
そして、音声通話を終了するなどして緊急通報の終了操作を行えば、緊急通報先との回線が開放され、緊急通報が終了する（ステップ５０４）。
【００７４】
緊急通報が正常に行えないと判断された場合（ステップ５０２のＮ）には、ハンズフリー用の通話回路部２２が携帯電話機２で使用されていると否とに関わらず、携帯電話機２で緊急通報のための自動発信が実施される（ステップ５０５）。そして、この場合も、自動発信に先立って、携帯電話機２で緊急通報が正常に行えるかどうかが先と同様に判断される（ステップ５０６）。
【００７５】
緊急通報が正常に行えると判断されると（ステップ５０６のＹ）、携帯電話機２を通して緊急通報先に緊急通報に必要な情報が送信され、ハンズフリー用の通話回路部２１を用いて音声通話可能な状態になる（ステップ５０７）。そして、音声通話を終了するなどして緊急通報の終了操作を行えば、緊急通報先との回線が開放され、緊急通報が終了する（ステップ５０４）。
【００７６】
また、インターフェース部３に携帯電話機２が接続された状態で、無線通信部２２、携帯電話機２の両方を用いて緊急通報のための発信動作を行う場合（ステップ６０１）では、その時点で、無線通信部２２、携帯電話機２でそれぞれ緊急通報が正常に行えるかどうかが先と同様に判断される（ステップ６０２）。
【００７７】
無線通信部２２、携帯電話機２の両方で緊急通報が正常に行えると判断された場合（ステップ６０２のＹ）には、無線通信部２２、携帯電話機２のいずれか一方を通して緊急通報先に緊急通報に必要な情報が送信され、他方でハンズフリー用の通話回路部２１を用いて音声通話可能な状態になる（ステップ６０３）。
【００７８】
そして、音声通話を終了するなどして緊急通報の終了操作を行えば、緊急通報先との回線が開放され、緊急通報が終了する（ステップ６０４）。
【００７９】
無線通信部２２、携帯電話機２のいずれか一方が正常に行えないと判断された場合（ステップ６０５のＮ）には、正常に行えると判断された他方で緊急通報のための自動発信が実施され、緊急時に必要な情報が緊急通報先に送信され、その後、ハンズフリー用の通話回路部２１を用いて緊急通報先とハンズフリー通話可能になる（ステップ６０６）。
【００８０】
そして、この場合も、音声通話を終了するなどして緊急通報の終了操作を行えば、緊急通報先との回線が開放され、緊急通報が終了する（ステップ６０４）。
【００８１】
以上説明したように、本実施の形態によれば、携帯電話機を接続するインターフェース部を備え、そのインターフェース部に携帯電話機を接続した状態で、緊急事態検出部が緊急事態を検出した場合には、インターフェース部に接続された携帯電話機を通して記憶部に記憶された緊急通報先に緊急通報を行うことができ、緊急事態発生時に、ハンズフリー用の通話回路部が使用されていた場合には、それをそのままとして、使用されていない側の緊急通報装置、あるいは、携帯電話機で緊急通報することができる。
【００８２】
更に、緊急通報しようとした緊急通報装置、携帯電話機が緊急通報を正常に行えない場合には、正常に行える側の携帯電話機、緊急通報装置に自動的に切替えて緊急通報を行なうことができ、いずれの場合も緊急事態を正確に素早く緊急通報先に通報することができる。
【００８３】
そして、本実施の形態によれば、緊急通報に必要な情報として、緊急通報装置の電話番号、緊急事態を知らせるメッセージのほかに、現在位置測位部１５によって測位した現在位置の位置情報、携帯電話機が先に接続されていた場合、その携帯電話機の電話番号、携帯電話機が接続されているかどうかの情報、緊急通報履歴の情報などを含むようにしており、緊急通報先に緊急通報が行なわれた場合、緊急通報先で、これらの情報を早期に正確に知ることができる。
【００８４】
したがって、緊急通報先としては、これらの情報を基に、緊急事態が何処で発生したのか、連絡してきた緊急通報装置１側の無線通信部２２が何番の電話番号のもので、それと連絡が取れない場合には、どの携帯電話機２に連絡をとれば良いか、また、その携帯電話機２は現在連絡してきた緊急通報装置１に接続されているのか、接続されているのであれば、緊急通報先に連絡をとればよいのか、接続されていないのであれば、携帯電話機が持ち出されているので、その携帯電話機にも連絡をとった方が良いなど、それらのあらゆる状況を判断する大きな材料となり、緊急事態に対する対応をより適切に行うための大きな手助けとなるという利点を有する。
【００８５】
また、本実施の形態によれば、緊急事態が発生していない通常の状態では、ナビゲーション装置や電話機としての機能を有し、ハンズフリー用の通話回路部を任意に携帯電話機や緊急通報装置用のハンズフリー通話回路部として切替え使用できるという利点を有する。
【００８６】
なお、上記実施の形態では携帯通信機を携帯電話機の場合で説明したが、本発明はこの携帯電話機に限定されることなくＰＨＳ子機や衛星電話機やパーソナル無線機やアマチュア無線機などの各種携帯無線機でも同様の効果が得られるものである。また、インターフェース部はケーブル等で有線的に接続される場合に限定されることなくＢｌｕｅｔｏｏｔｈや赤外線通信といった近距離無線通信でも同様の効果が得られるものである。
【００８７】
【発明の効果】
以上、本発明によれば、携帯通信機を接続するインターフェース部を備え、このインターフェース部に携帯通信機を接続することにより、緊急通報装置に設けられた緊急通報手段以外に、インターフェース部に接続された携帯通信機を用いても、緊急通報手段と同様、緊急事態の発生を正確に緊急通報先に通報することができるという利点を有する。
【図面の簡単な説明】
【図１】本発明の一実施の形態における緊急通報装置の概略ブロック図
【図２】本発明の一実施の形態における緊急通報装置の動作を説明する第１のフロー図
【図３】本発明の一実施の形態における緊急通報装置の動作を説明する第２のフロー図
【図４】本発明の一実施の形態における緊急通報装置の動作を説明する第３のフロー図
【図５】本発明の一実施の形態における緊急通報装置の動作を説明する第４のフロー図
【図６】本発明の一実施の形態における緊急通報装置の動作を説明する第５のフロー図
【符号の説明】
１　緊急通報装置
２　携帯電話機
３　インターフェース部
１１　ＧＳＰ受信機
１２　速度センサ
１３　方位センサ
１４　現在位置測位部
１５　記憶部
１６　キー入力部
１７　表示部
１８　制御部
１９　マイク
２０　スピーカ
２１　通話回路部
２２　無線通信部
２３　衝突センサ
２４　横転センサ
２５　盗難センサ
２６　緊急釦
【図１】
2004072412.tif 000003
【図２】
2004072412.tif 000004
【図３】
2004072412.tif 000005
【図４】
2004072412.tif 000006
【図５】
2004072412.tif 000007
【図６】
2004072412.tif 000008